(57)【要約】【課題】低コスト化を図ることができ、かつ意匠性の高い外装ケースを備えたプロジェクタを提供することを目的とする。【解決手段】光源と、この光源から射出された光束を画像情報に応じて変調し光学像を形成する光変調装置とを備え、この光変調装置で形成された光学像を拡大投写するプロジェクタは、光源及び光変調装置を含む装置本体を収納する筐体２を備え、この筐体２は、装置本体を覆う合成樹脂製の面状体１１、１２と、この面状体１１、１２に取り付けられる金属製のフレーム体３１とを備えている。筐体２を面状体１１、１２及びフレーム体３１を含んで構成することで、外力等をフレーム体３１で負担させることができるため、面状体１１、１２を合成樹脂で形成しても、十分な強度を確保することができる。【選択図】  図１０
2004205667.tif 000002
【特許請求の範囲】
【請求項１】
光源と、この光源から射出された光束を画像情報に応じて変調し光学像を形成する光変調装置とを備え、この光変調装置で形成された光学像を拡大投写するプロジェクタであって、
前記光源及び前記光変調装置を含む装置本体を収納する筐体を備え、
この筐体は、前記装置本体を覆う合成樹脂製の面状体と、この面状体に取り付けられる金属製の骨組部材を組み合わせたフレーム体とを備えていることを特徴とするプロジェクタ。
【請求項２】
請求項１に記載のプロジェクタにおいて、
装置本体に電力を供給する電源回路、及び前記光源を安定発光させる光源駆動回路を備え、
これら電源回路及び光源駆動回路は、前記フレーム体に取り付けられているとともに、該フレーム体によって覆われていることを特徴とするプロジェクタ。
【請求項３】
請求項１又は請求項２に記載のプロジェクタにおいて、
前記面状体は、前記装置本体を支持する筐体底面部を有し、
この筐体底面部には、前記装置本体の支持面から面外方向外側に突出する複数の凸条部が一体的に形成されていることを特徴とするプロジェクタ。
【請求項４】
請求項３に記載のプロジェクタにおいて、
前記筐体底面部には、前記装置本体を冷却する冷却空気を導入する吸気用開口部が少なくとも１つ以上形成され、
この吸気用開口部を外側から覆うように設けられ、該吸気用開口部から塵埃が侵入することを防止するフィルタを備え、
このフィルタは、前記凸条部に係合して取り付けられることを特徴とするプロジェクタ。
【請求項５】
請求項４に記載のプロジェクタにおいて、
前記フィルタは、プリーツ状に折り畳まれたフィルタ本体と、このフィルタ本体を収納し、前記凸条部に形成された係合片と係合する係合部が形成された枠状部材とを備えていることを特徴とするプロジェクタ。
【請求項６】
請求項４又は請求項５に記載のプロジェクタにおいて、
前記筐体底面部には、前記吸気用開口部に応じた位置に冷却空気導入用の吸気ファンが設けられ、
この吸気ファンは、ファン本体と、このファン本体の冷却空気を取り込む吸気面を囲むケース部材とを備え、
前記吸気ファンは、このケース部材で前記筐体底面部に固定されていることを特徴とするプロジェクタ。
【請求項７】
請求項１〜請求項６のいずれかに記載のプロジェクタにおいて、
当該プロジェクタの機能を拡張するための拡張基板を挿入する基板挿入部を備え、
この基板挿入部は、前記フレーム体を構成する骨組部材で区画され、前記拡張基板が挿入されると、前記拡張基板とこの骨組部材とが係合固定されることを特徴とするプロジェクタ。
【請求項８】
請求項１〜請求項７のいずれかに記載のプロジェクタにおいて遠隔操作用のリモートコントローラからの操作信号を受信するために、前記面状体に形成された孔に信号受信部を備え、
前記フレーム体を構成する骨組み部材には、前記孔の近傍に延びる腕部が設けられ、
前記信号受信部は、この腕部に取り付けられることを特徴とするプロジェクタ。
【請求項９】
請求項１〜請求項８のいずれかに記載のプロジェクタにおいて、
音声を出力するために、前記面状体に形成された音声出力用開口部に応じた位置に配置されるスピーカを備え、
前記フレーム体は、基端が前記筐体の底面部に取り付けられ、先端が前記筐体の上面部近傍まで延びる櫓状の部材を備え、
前記スピーカはこの部材上面に取り付けられていることを特徴とするプロジェクタ。
【請求項１０】
請求項１〜請求項９のいずれかに記載のプロジェクタにおいて、
前記面状体は、略直方体状に構成され、
投写方向に沿った稜線の少なくとも一部が面取りされていることを特徴とするプロジェクタ。
【発明の詳細な説明】
【０００１】
本発明は、光源と、この光源から射出された光束を画像情報に応じて変調し光学像を形成する光変調装置とを備え、この光変調装置で形成された光学像を拡大投写するプロジェクタに関する。
【発明の属する技術分野】
【０００２】
【背景技術】
従来、光源から射出された光束を画像情報に応じて変調して光学像を形成し、拡大投写するプロジェクタが利用されており、近年、このようなプロジェクタは、大規模店舗内や、パブリックスペースに設置され、大画面表示することにより、多数の観察者に種々の映像情報を提供している。
このような用途に供されるプロジェクタは、店舗内で鮮明な投写画像を形成できるように、高輝度の光源ランプを用い、また、投写距離を十分に確保するために、投写レンズも大口径の大型のものが採用されている。
【０００３】
このため、このようなプロジェクタは、光源ランプ、光変調装置、投写レンズを含む装置本体の重量が増してしまい、装置本体を収納する外装ケースにも十分な強度が要求される。
そして、このような要求に対応すべく、従来は、この種のプロジェクタの外装ケースとしては、アルミニウム、マグネシウム等の金属製のものが採用されていた（例えば、特許文献１参照。）。
【０００４】
【特許文献１】
特開２０００−２５８８４０号公報（段落番号〔００３８〕、図１、図２）
【０００５】
【発明が解決しようとする課題】
しかしながら、このような金属製の外装ケースは、外装ケースの材料となるアルミニウム、マグネシウム等の材料費が高いので、できれば、材料として合成樹脂をするのがコスト的に望ましい。
また、金属製の外装ケースは、合成樹脂と比較すると加工性に劣り、外装ケースの色、形状バリエーションに限界があるため、より意匠性の高い外装ケースが望まれている。
【０００６】
本発明の目的は、低コスト化を図ることができ、かつ意匠性の高い外装ケースを備えたプロジェクタを提供することを目的とする。
【０００７】
【課題を解決するための手段】
本発明のプロジェクタは、光源と、この光源から射出された光束を画像情報に応じて変調して光学像を形成する光変調装置とを備え、この光変調装置で形成された光学像を拡大投写するプロジェクタであって、前記光源及び前記光変調装置を含む装置本体を収納する筐体を備え、この筐体は、前記装置本体を覆う合成樹脂製の面状体と、この面状体に取り付けられる金属製の骨組部材を組み合わせたフレーム体とを備えていることを特徴とする。
【０００８】
ここで、面状体は、装置本体を内部に収納することによって、装置本体に外部からの塵埃等が侵入することを防止するためのものであり、例えば、プロジェクタの外観が直方体状であれば、脚部が設けられる筐体底面部、この筐体底面部と対向配置される筐体上面部、投写レンズが露出する筐体前面部、プロジェクタの後端側を被覆する筐体背面部、及び左右の筐体側面部を含んで構成することができる。
また、フレーム体は、筐体において外部からの荷重を支持して装置本体に荷重を伝えない構造体として構成され、このフレーム体を構成する骨組部材としては、例えば、アルミニウム等の板金加工によって構成される板状の骨組部材を採用することができる。
【０００９】
この発明によれば、筐体を面状体及びフレーム体を含んで構成することにより、外力等をフレーム体で負担させることができるため、面状体を合成樹脂で形成しても、十分な強度を確保することができる。したがって、射出成形等により面状体を成形することにより、意匠性の高い外装ケースとすることができる。
また、フレーム体で荷重を負担するように構成することで、面状体の肉厚を厚くする必要がなく、筐体自身の重量増を抑えることができるため、プロジェクタの重量が必要以上に増加することもない。
さらに、フレーム体を金属製の骨組部材を組み合わせ、面状体に取り付けるように構成することにより、筐体内部に収納される装置本体がフレーム体によって囲まれるようになるため、電磁シールドとしての機能も負担させることができ、プロジェクタの構成部品点数の低減を図ることができる。
【００１０】
本発明では、前述したプロジェクタが装置本体に電力を供給する電源回路、及び光源を安定発光させる光源駆動回路を備えている場合、これら電源回路及び光源駆動回路は、フレーム体に取り付けられているとともに、該フレーム体によって覆われているのが好ましい。
この発明によれば、電源回路及び光源駆動回路は電磁障害の発生源となるため、フレーム体に覆われることで、フレーム体が電磁シールドとなってプロジェクタを構成する他のＭＰＵ等の素子の誤作動を確実に防止することができる。
【００１１】
本発明では、前述した面状体は、装置本体を支持する筐体底面部を有し、この筐体底面部には、装置本体の支持面から面外方向外側に突出する複数の凸条部が一体的に形成されているのが好ましい。
ここで、凸条部は、筐体底面部の外周面に軸状の部材を接合固定して形成することもできるが、好ましくは、筐体底面部の射出成形に際して、筐体底面部の一部が外側に膨出するようなリブとして形成するのが好ましい。
この発明によれば、筐体底面部に凸条部が形成されることにより、装置本体の支持面をより強固なものとすることができるため、装置本体の荷重を支持する上で好適である。また、射出成形によりリブとして一体形成することにより、筐体底面部の成形時にリブも同時に形成できるため、外装ケースの製造に際しても手間が掛からない。
【００１２】
本発明では、前述した筐体底面部に装置本体を冷却する冷却空気を導入する吸気用開口部が少なくとも１つ以上形成されている場合、この吸気用開口部を外側から覆うように設けられ、該吸気用開口部から塵埃が侵入することを防止するフィルタを備え、このフィルタは、前述の凸条部に係合して取り付けられるのが好ましい。
ここで、フィルタは、互いに平行配置される一対の凸条部間に跨って取り付けられるのが好ましく、これら一対の凸条部の互いに対向する側面にフィルタ取付用の被係合部が形成されているのが好ましい。
【００１３】
この発明によれば、フィルタを凸条部に係合して取り付けることにより、別途フィルタ取付用の部位を外装ケースに設ける必要がなくなるため、外装ケースの構造の複雑化を招くことなく、フィルタの取付を行うことができる。
また、フィルタを互いに平行配置される一対の凸条部間に跨って取り付けることにより、一対の凸条部の延出方向に沿ってフィルタを挿抜することができるため、プロジェクタの設置後、フィルタを引き抜いて掃除を行うことができ、プロジェクタのメンテナンス性が向上する。
【００１４】
本発明では、前述したフィルタは、プリーツ状に折り畳まれたフィルタ本体と、このフィルタ本体を収納し、凸条部に形成された係合片と係合する係合部が形成された枠状部材とを備えているのが好ましい。
この発明によれば、フィルタ本体をプリーツ状に折り畳んで形成することにより、フィルタ形状に対して、塵埃を吸着するフィルタ面積を大きくすることができるため、装置内部に塵埃の入りにくいプロジェクタとすることができる。
また、フィルタ本体と枠状部材を別体とすることにより、汚れの状況に応じてフィルタ本体のみを交換することができるため、メンテナンス性が一層向上する。
【００１５】
本発明では、前述した筐体底面部に吸気用開口部に応じた位置に冷却空気導入用の吸気ファンが設けられており、この吸気ファンがファン本体と、このファン本体の冷却空気を取り込む吸気面を囲むケース部材とを備えている場合、吸気ファンは、このケース部材で筐体底面部に固定されているのが好ましい。
この発明によれば、筐体底面部にケース部材が固定されることにより、このケース部材で筐体底面部を補強することができるため、プロジェクタの装置本体の支持面の強度を一層向上させることができる。
【００１６】
本発明では、プロジェクタに当該プロジェクタの機能を拡張するための拡張基板を挿入するための基板挿入部が形成されている場合、この基板挿入部は、フレーム体を構成する骨組部材で区画され、拡張基板が挿入されると、拡張基板とこの骨組部材が係合固定されるのが好ましい。
ここで、拡張基板としては、ＬＡＮ（Local Area Network）接続用のボードや、メモリボード等が考えられる。
この発明によれば、拡張基板が骨組部材に係合固定されることにより、フレーム体の剛性が拡張基板によって向上するので、フレーム体の構造強度を一層向上させることができる。
【００１７】
本発明では、プロジェクタが遠隔操作用のリモートコントローラからの操作信号を受信するために、面状体に形成された孔に信号受信部を備えている場合、フレーム体を構成する骨組部材には、孔の近傍に延びる腕部が設けられ、信号受信部は、この腕部に取り付けられているのが好ましい。
ここで、信号受信部は、光変調装置で形成された光学像を拡大投写する投写光学系が設けられるプロジェクタの前面側に設けられたものを、腕部に取り付けるのが好ましい。
【００１８】
この発明によれば、信号受信部が腕部に取り付けられることにより、信号受信部をフレーム体の一部で支持することが可能となるため、信号受信部を強固に支持することができる。
また、プロジェクタの前面側の信号受信部を腕部に取り付けることにより、腕部の延出量を調整して、面状体に形成された孔から確実に信号受信部を露出させることができる。したがって、投写光学系として鏡筒の長いものを採用した場合でも、面状体に形成された孔の近傍に信号受信部を配置して、リモートコントローラからの信号を確実に受信することができる。
【００１９】
本発明では、プロジェクタが音声を出力するために、面状体に形成された音声出力用開口部に応じた位置に配置されるスピーカを備えている場合、フレーム体は、基端が筐体の底面部に取り付けられ、先端が筐体の上面部近傍まで延びる櫓状の部材を備え、スピーカはこの部材上面に取り付けられているのが好ましい。この発明によれば、スピーカがフレーム体に取り付けられることにより、面状体にスピーカを取り付ける必要がないため、面状体を取り外す場合にスピーカに接続されるケーブル等が邪魔になることがなく、簡単に面状体を取り外すことができる。
【００２０】
本発明では、前述した面状体が略直方体状に形成され、投写方向に沿った稜線の少なくとも一部が面取りされているのが好ましい。
ここで、面取りされる稜線としては、筐体上面部の投写方向に沿って延びる一対の端縁のいずれかの稜線が好ましい。
この発明によれば、面取りすることにより面状体の補強を行うことができ、筐体の強度を一層向上できる。
また、このように面取りすることにより、より高輝度な画面を形成すべく２台のプロジェクタをスタックさせる場合に、２台のプロジェクタを固定するパイプ等の支持部材をこの面取り部分に挿入することができるため、支持部材がプロジェクタに干渉することなく、適切な位置に位置合わせしてスタックさせることができる。
【００２１】
【発明の実施の形態】
以下、本発明の実施の一形態を図面に基づいて説明する。
（１）外観構成
図１および図２には、本発明の実施形態に係るプロジェクタ１が示されており、図１は上方前面側から見た斜視図であり、図２は下方背面側から見た斜視図である。
このプロジェクタ１は、光源から射出された光束を画像情報に応じて変調し、スクリーン等の投写面上に拡大投写する光学機器であり、後述する光学ユニットを含む装置本体を内部に収納する外装ケース２および外装ケース２から露出する投写レンズ３を備えている。このプロジェクタ１は、大型店舗内や、パブリックスペース等に設置され、投写画像を大画面表示することによって、多数の観察者に映像情報を提供するものである。
投写レンズ３は、後述する光変調装置としての液晶パネルにより光源から射出された光束を画像情報に応じて変調形成された光学像を拡大投写する投写光学系としての機能を具備するものであり、筒状の鏡筒内に複数のレンズが収納された組レンズとして構成される。
【００２２】
筐体としての外装ケース２は、投写方向に沿った奥行き寸法がこれに直交する幅方向寸法よりも大きな直方体形状をなし、装置本体を覆う面状体１０と、ケース強度を負担する後述するフレーム体とを備えて構成されている。
面状体１０は、装置本体の上部を覆うアッパーケース１１と、装置本体の下部を覆うロアーケース１２と、装置本体の前面部分を覆うフロントケース１３とを備えている。これら各ケース１１〜１３は、射出成形等によって成形された合成樹脂製の一体成形品である。
【００２３】
アッパーケース１１は、装置本体の上部を覆う筐体上面部１１Ａと、この筐体上面部１１Ａの幅方向端部から略垂下する筐体側面部１１Ｂ、１１Ｃと、筐体上面部１１Ａの後端部から略垂下する筐体背面部１１Ｄとを備えている。
このアッパーケース１１の筐体上面部１１Ａと、筐体側面部１１Ｂ、１１Ｃとが交差する稜線部分には、プロジェクタ１の投写方向略中央から後端側に向かって面取加工が施され、稜線に沿って凹状にへこんだ凹部１１１が形成されている。この凹部１１１は、プロジェクタ１を２台スタックさせた際に、２台のプロジェクタ１を連結するパイプ状の支持部材を挿入するために形成されている。
また、筐体側面部１１Ｂには、冷却空気導入用のスリット状の開口部１１２が形成されている。
【００２４】
筐体上面部１１Ａの略中央部分には、プロジェクタ１の起動・調整操作を行うための操作パネル１４が設けられている。この操作パネル１４は、起動スイッチ、画像・音声等の調整スイッチを含む複数のスイッチを備え、プロジェクタ１による投写時には、操作パネル１４中の調整スイッチ等を操作することにより、画質・音量等の調整を行うことができる。
また、筐体上面部１１Ａの投写方向前方には、複数の孔１４１が形成されていて、この内部には、後述する音声出力用のスピーカが収納されている。
これら操作パネル１４およびスピーカは、後述する装置本体を構成する制御基板と電気的に接続され、操作パネル１４による操作信号はこの制御基板で処理される。
【００２５】
筐体背面部１１Ｄは、ほぼ全面が開口された枠状に構成され、この開口部分には、画像信号等を入力するためのコネクタ群１５が露出するとともに、その隣は、光源装置を収納する開口部とされ、通常は、光源装置収納用の蓋部材１６によって覆われている。尚、コネクタ群１５は、後述する制御基板と電気的に接続され、コネクタ群１５を介して入力した画像信号は、制御基板によって処理される。
また、筐体上面部１１Ａの後端部及び筐体背面部１１Ｄの上端部分は、アッパーケース１１から脱着可能な蓋部材１１３が取り付けられていて、詳しくは後述するが、この蓋部材１１３内部には、ＬＡＮボード等の拡張基板を挿入することができるようになっている。
【００２６】
ロアーケース１２は、アッパーケース１１との係合面を中心としてアッパーケース１１と略対称に構成され、筐体底面部１２Ａ、筐体側面部１２Ｂ、１２Ｃ、および筐体背面部１２Ｄを備えている。
そして、筐体側面部１２Ｂ、１２Ｃ、および筐体背面部１２Ｄは、その上端部分でアッパーケース１１の筐体側面部１１Ｂ、１１Ｃ、及び筐体背面部１１Ｄの下端部分と係合する。尚、筐体背面部１２Ｄは、アッパーケース１１の筐体背面部１１Ｄと同様に、ほぼ全面が開口され、係合後の開口部分から前述したコネクタ群１５が露出するとともに、両開口部分に跨って蓋部材１６が取り付けられる。
また、筐体背面部１２Ｄの角隅部には、さらに開口部が形成されており、この開口部からインレットコネクタ１７が露出している。さらに、筐体側面部１２Ｂには、アッパーケース１１の筐体側面部１１Ｂに形成された開口部１１２に応じた位置に開口部１２２が形成されている。
【００２７】
筐体底面部１２Ａには、プロジェクタ１の後端側略中央に固定脚部１８が設けられているとともに、先端側幅方向両端に調整脚部１９が設けられている。
調整脚部１９は、筐体底面部１２Ａから面外方向に進退自在に突出する軸状部材から構成され、軸状部材自体は、外装ケース２の内部に収納されている。このような調整脚部１９は、プロジェクタ１の側面部分に設けられる調整ボタン１９１を操作することにより、筐体底面部１２Ａからの進退量を調整することができる。
これにより、プロジェクタ１から射出された投写画像の上下位置を調整し、適切な位置に投写画像を形成することができるようになる。
【００２８】
また、筐体底面部１２Ａには、筐体底面部１２Ａの略中央に投写方向に沿って延びる凸条のリブ状部２０と、このリブ状部２０と直交するようにプロジェクタ１の幅方向に沿って延びる複数のリブ状部２１、２２とが形成されている。そして、中間部分の２本のリブ状部２１の間には、詳しくは後述するが、外部から冷却空気を取り込むための吸気用開口部が形成されていて、フィルタ２３によって覆われている。このフィルタ２３で塞がれた吸気用開口部の後端側には、やはり冷却空気取り込みようの吸気用開口部２４が形成されているが、フィルタで覆われる構成とはなっていない。
プロジェクタ１の幅方向に沿って延びるリブ状部２１、２２の端部には、ねじ孔２１Ａが４箇所形成されている。このねじ孔２１Ａには、プロジェクタ１を天井吊り下げとした場合の天井吊り下げ用の金具が装着される。
さらに、筐体底面部１２Ａの装置後端側端縁には、係合部２６が形成されており、この係合部２６には、前述したコネクタ群１５を覆って塵埃等がこれらに付着することを防止するためのカバー部材が取り付けられるようになっている。
【００２９】
フロントケース１３は、前面部１３Ａおよび上面部１３Ｂを備えて構成され、前面部１３Ａの外周部分には、面外方向に延びるリブ１３Ｃが形成されており、アッパーケース１１、ロアーケース１２の投写方向先端側とこのリブ１３Ｃが係合する。
前面部１３Ａは、ロアーケース１２の筐体底面部１２Ａからアッパーケース１１の筐体上面部１１Ａに向かって装置後端側に傾斜しており、投写面から遠ざかるように傾斜している。このようにしたのは、プロジェクタ１を天井吊り下げにした際に、フロントケース１３の前面部１３Ａが下面を向くので、フロントケース１３に塵埃が付着しにくくなるためであり、通常設置の状態よりもメンテナンスしにくい天井吊り下げの場合を考慮したためである。
【００３０】
このような前面部１３Ａの略中央部分には開口部２７が形成されており、この開口部２７からは投写レンズ３が露出する。
この開口部２７には、隣接してスリット状の開口部２８が形成されており、プロジェクタ１の装置本体内部を冷却した空気は、この開口部２８から排出される。
さらに、前面部１３Ａの角隅部近傍には、孔２９が形成されており、この孔２９からは、不図示のリモートコントローラの操作信号を受信するための受光部３０がある。
尚、本例においては、プロジェクタ１の背面側にも受光部３０が設けられており、図２に示されるようにアッパーケース１１の筐体背面部１１Ｄの角隅部に受光部３０が設けられている。これにより、リモートコントローラを使用する場合、装置前面側、装置背面側のいずれの方向からもリモートコントローラの操作信号を受信することができるようになっている。
【００３１】
上面部１３Ｂは、アッパーケース１１の筐体上面部１１Ａの略中央まで延出し、具体的には図示を略したが、投写レンズ３の基端部近傍まで達している。このようにしたのは、投写レンズ３を変更する際に、フロントケース１３を取り外すだけで投写レンズ３を交換できるようにするためであり、アッパーケース１１およびロアーケース１２からフロントケース１３を取り外すと、上面部１３Ｂが外れて開口され、投写レンズ３の基端部取付部分が露出するようになっている。
【００３２】
（２）内部構成
このような外装ケース２の内部には、図３〜図５に示されるように、プロジェクタ１の装置本体が収納されており、この装置本体は、光学ユニット４、制御基板５、および電源ブロック６を備えて構成される。
(2-1)光学ユニット４の構造
光学エンジンとしての光学ユニット４は、光源装置から射出された光束を画像情報に応じて変調して光学像を形成し、投写レンズ３を介してスクリーン上に投写画像を形成するものであり、図５に示されるように、ライトガイド４０という光学部品用筐体内に、光源装置や、種々の光学部品等を組み込んだものとして構成される。
このライトガイド４０は、下ライトガイド４０１、上ライトガイド４０２から構成され、それぞれは、射出成形等による合成樹脂製品である。
【００３３】
下ライトガイド４０１は、図６に示されるように、後述する光源装置が収納される光源収納部４０１Ａ及び光学部品を収納する部品収納部４０１Ｂを備え、この部品収納部４０１Ｂは、底面部４０１Ｃ及び側壁部４０１Ｄからなる上部が開口された容器状に形成され、側壁部４０１Ｄには、複数の溝部４０１Ｅが設けられている。この溝部４０１Ｅには、光学ユニット４を構成する種々の光学部品が装着され、これにより各光学部品は、ライトガイド４０内に設定された照明光軸上に精度よく配置される。上ライトガイド４０２は、この下ライトガイド４０１に応じた平面形状を有し、下ライトガイド４０１の上面を塞ぐ蓋状部材として構成される。
また、下ライトガイド４０１の光束射出側端部には、金属製の側面略Ｌ字状のヘッド体４０３が配置され、このヘッド体４０３のＬ字水平部分には、後述する光学装置４４が取り付けられるとともに、Ｌ字垂直部分には、投写レンズ３の基端部分が接合固定される。
【００３４】
このようなライトガイド４０内は、図７に示されるように、インテグレータ照明光学系４１と、色分離光学系４２と、リレー光学系４３と、光変調光学系および色合成光学系を一体化した光学装置４４とに機能的に大別される。尚、本例における光学ユニット４は、三板式のプロジェクタに採用されるものであり、ライトガイド４０内で光源から射出された白色光を三色の色光に分離する空間色分離型の光学ユニットとして構成されている。
インテグレータ照明光学系４１は、光源から射出された光束を照明光軸直交面内における照度を均一にするための光学系であり、光源装置４１１、平行化凹レンズ４１２、第１レンズアレイ４１３、第２レンズアレイ４１４、偏光変換素子４１５、および重畳レンズ４１６を備えて構成される。
【００３５】
光源装置４１１は、放射光源としての光源ランプ４１７、リフレクタ４１８、およびリフレクタ４１８の光束射出面を覆うフロントガラス４１９を備え、光源ランプ４１７から射出された放射状の光線を、平行化凹レンズ４１２及びリフレクタ４１８で反射して略平行光線とし、外部へと射出する。本例では、光源ランプ４１７として高圧水銀ランプを採用しているが、これ以外にメタルハライドランプやハロゲンランプを採用することもある。また、本例では、楕円面鏡からなるリフレクタ４１８の射出面に平行化凹レンズ４１２を配置した構成を採用しているが、リフレクタ４１８として放物面鏡を採用することもできる
【００３６】
第１レンズアレイ４１３は、照明光軸方向から見てほぼ矩形状の輪郭を有する小レンズがマトリクス状に配列された構成を具備している。各小レンズは、光源ランプ４１７から射出された光束を部分光束に分割し、照明光軸方向に射出する。各小レンズの輪郭形状は、後述する液晶パネル４４１Ｒ、４４１Ｇ、４４１Ｂの画像形成領域の形状とほぼ相似形をなすように設定される。例えば、液晶パネル４４１Ｒ、４４１Ｇ、４４１Ｂの画像形成領域のアスペクト比（横と縦の寸法の比率）が４：３であるならば、各小レンズのアスペクト比も４：３に設定される。
第２レンズアレイ４１４は、第１レンズアレイ４１３と略同様の構成であり、小レンズがマトリクス状に配列された構成を具備する。この第２レンズアレイ４１４は、重畳レンズ４１６とともに、第１レンズアレイ４１３の各小レンズの像を液晶パネル４４１Ｒ、４４１Ｇ、４４１Ｂ上に結像させる機能を有する。
【００３７】
偏光変換素子４１５は、第２レンズアレイ４１４からの光を１種類の偏光光に変換するものであり、これにより、光学装置４４での光の利用率が高められている。
具体的に、偏光変換素子４１５によって１種類の偏光光に変換された各部分光束は、重畳レンズ４１６によって最終的に光学装置４４の液晶パネル４４１Ｒ、４４１Ｇ、４４１Ｂ上にほぼ重畳される。偏光光を変調するタイプの液晶パネル４４１Ｒ、４４１Ｇ、４４１Ｂを用いたプロジェクタでは、１種類の偏光光しか利用できないため、ランダムな偏光光を発する光源ランプ４１７からの光束の略半分が利用されない。このため、偏光変換素子４１５を用いることにより、光源ランプ４１７から射出された光束を全て１種類の偏光光に変換し、光学装置４４における光の利用効率を高めている。なお。このような偏光変換素子４１５は、例えば、特開平８−３０４７３９号公報に紹介されている。
【００３８】
色分離光学系４２は、インテグレータ照明光学系４１から射出された光束を曲折する反射ミラー４２１と、２枚のダイクロイックミラー４２２，４２３と、反射ミラー４２４とを備え、ダイクロイックミラー４２２、４２３によりインテグレータ照明光学系４１から射出された複数の部分光束を赤（Ｒ）、緑（Ｇ）、青（Ｂ）の３色の色光に分離する機能を有している。尚、本例では、反射ミラー４２４は、下ライトガイド４０１に対して姿勢を調整することができるようになっている。
リレー光学系４３は、入射側レンズ４３１と、リレーレンズ４３３と、反射ミラー４３２、４３４とを備え、色分離光学系４２で分離された色光である赤色光を液晶パネル４４１Ｒまで導く機能を有している。
【００３９】
この際、色分離光学系４２のダイクロイックミラー４２２では、インテグレータ照明光学系４１から射出された光束のうち、赤色光成分と緑色光成分とは反射し、青色光成分は透過する。ダイクロイックミラー４２２によって透過した青色光は、反射ミラー４２４で反射し、フィールドレンズ４２５を通って、青色用の液晶パネル４４１Ｂに到達する。このフィールドレンズ４２５は、第２レンズアレイ４１４から射出された各部分光束をその中心軸（主光線）に対して平行な光束に変換する。他の液晶パネル４４１Ｇ、４４１Ｒの光入射側に設けられたフィールドレンズ４２５も同様である。
【００４０】
また、ダイクロイックミラー４２２を反射した赤色光と緑色光のうちで、緑色光は、ダイクロイックミラー４２３によって反射し、フィールドレンズ４２５を通って、緑色用の液晶パネル４４１Ｇに到達する。一方、赤色光は、ダイクロイックミラー４２３を透過してリレー光学系４３を通り、さらにフィールドレンズ４２５を通って、赤色光用の液晶パネル４４１Ｒに到達する。
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４２５に伝えるためである。なお、リレー光学系４３には、３つの色光のうちの赤色光を通す構成としたが、これに限らず、例えば、青色光を通す構成としてもよい。
【００４１】
光学装置４４は、入射された光束を画像情報に応じて変調してカラー画像を形成するものであり、色分離光学系４２で分離された各色光が入射される３つの入射側偏光板４４２と、各入射側偏光板４４２の後段に配置される光変調装置としての液晶パネル４４１Ｒ、４４１Ｇ、４４１Ｂと、各液晶パネル４４１Ｒ、４４１Ｇ、４４１Ｂの後段に配置される視野角補正板４４３および射出側偏光板４４４と、色合成光学系としてのクロスダイクロイックプリズム４４５とを備える。
【００４２】
液晶パネル４４１Ｒ、４４１Ｇ、４４１Ｂは、例えば、ポリシリコンＴＦＴをスイッチング素子として用いたものであり、図８に示されるように、液晶パネル４４１Ｇを例に取れば、パネル本体４４１１と、このパネル本体４４１１を収納する保持枠４４１２とを備えている。尚、以下の説明では、液晶パネル４４１Ｒ、４４１Ｂについては特段言及しないが、液晶パネル４４１Ｇと略同様の構成である。
パネル本体４４１１は、図示を略したが、対向配置される一対の透明基板内に液晶が密封封入されたものであり、一対の透明基板の入射側及び射出側には防塵ガラスが貼り付けられている。
保持枠４４１２は、パネル本体４４１１を収納する凹部を有する部材であり、その四隅部分には、孔４４１３が形成されている。
【００４３】
このような液晶パネル４４１Ｒ、４４１Ｇ、４４１Ｂの前段に配置される入射側偏光板４４２（図７参照）は、色分離光学系４２で分離された各色光のうち、一定方向の偏光光のみ透過させ、その他の光束を吸収するものであり、サファイアガラス等の基板に偏光膜が貼付されたものである。また、基板を用いずに、偏光膜をフィールドレンズ４２５に貼り付けてもよい。
視野角補正板４４３は、基板上に液晶パネル４４１Ｇで形成された光学像の視野角を補正する機能を有する光学変換膜が形成されたものであり、このような視野角補正板４４３を配置することにより、投写画像の視野角が拡大され、かつ投写画像のコントラストが大幅に向上する。
【００４４】
射出側偏光板４４４は、液晶パネル４４１Ｇで光変調された光束のうち、所定方向の偏光光のみ透過させ、その他の光束を吸収するものであり、本例では、２枚の第１偏光板（プリポラライザ）４４４Ｐ及び第２偏光板（アナライザ）４４４Ａから構成されている。このように射出側偏光板４４４を２枚構成としたのは、入射する偏光光を、第１偏光板４４４Ｐ、第２偏光板４４４Ａのそれぞれで按分させて吸収することにより、偏光光で発生する熱を両偏光板４４４Ｐ、４４４Ａで按分させ、それぞれの過熱を抑えるためである。
【００４５】
クロスダイクロイックプリズム４４５は、射出側偏光板４４４から射出され、各色光毎に変調された光学像を合成してカラー画像を形成するものである。
クロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
このクロスダイクロイックプリズム４４５の下面には、プリズム固定板４４５１が紫外線硬化型接着剤により固着されている。このプリズム固定板４４５１は、クロスダイクロイックプリズム４４５の対角線に沿って伸びる脚部４４５２を備え、各脚部４４５２の先端部分には孔４４５３が形成されている。
そして、光学装置４４は、この孔４４５３部分に挿入される不図示のねじ等によって前述したヘッド体４０３のＬ字水平分に接合固定される。
【００４６】
前述した液晶パネル４４１Ｇ、視野角補正板４４３、第１偏光板４４４Ｐ及び第２偏光板４４４Ａは、パネル固定板４４６を介してクロスダイクロイックプリズム４４５の光束入射端面に固定される。
パネル固定板４４６は、平面視略Ｃ字形状の固定部本体４４６１と、この固定部本体４４６１の先端側に腕部４４６２を介して突設されるピン４４６３とを備える。このうち、固定部本体４４６１のＣ字先端側縁には、視野角補正板４４３が固定される台座４４６４と、Ｃ字先端側縁に沿って延出し、視野角補正板４４３の外形位置基準となる位置決め部４４６４Ａが形成されている。
そして、液晶パネル４４１Ｇ、視野角補正板４４３、第１偏光板４４４Ｐ及び第２偏光板４４４Ａを、パネル固定板４４６によってクロスダイクロイックプリズム４４５の光束入射端面に固定する場合、まず、固定部本体４４６１のＣ字内側の空間に第１偏光板４４４Ｐ、第２偏光板４４４Ａを挿入し、バネ部材４４６５によって該空間内に、これら偏光板４４４Ｐ、４４４Ａが一定距離離間配置するように付勢しながら固定する。
【００４７】
次に、視野角補正板４４３の外形位置を位置決め部４４６４Ａにて合わせながら、視野角補正板４４３の端面を台座４４６４に熱伝導性テープまたは接着剤で貼り付けた後、クロスダイクロイックプリズム４４５の光束入射端面にパネル固定板４４６を固定する。
そして、パネル固定板４４６のピン４４６３に紫外線硬化型接着剤を塗布した後、未硬化の状態で液晶パネル４４１Ｇの孔４４１３を挿通する。
同様の手順で液晶パネル４４１Ｒ、４４１Ｂも、紫外線硬化型接着剤が未硬化の状態でパネル固定板４４６に仮止めしておき、各液晶パネル４４１Ｒ、４４１Ｇ、４４１Ｂに赤、青、緑の各色光を導入し、クロスダイクロイックプリズム４４５の光束射出端面から射出された各色光を観察しながら、液晶パネル４４１Ｒ、４４１Ｇ、４４１Ｂ相互の位置調整を行い、位置調整が終了したら、紫外線硬化型接着剤に紫外線を照射して、液晶パネル４４１Ｒ、４４１Ｇ、４４１Ｂの位置決め固定を行う。
【００４８】
(2-2)制御基板５の構造
制御基板５は、図４及び図５に示すように、光学ユニット４の上側を覆うように配置され、２段に積層配置されるメイン基板５１を備え、上段側基板５１１には、演算処理装置等の制御部本体が実装され、下側基板５１２には、各液晶パネル４４１Ｒ、４４１Ｇ、４４１Ｂの駆動用ＩＣが実装されている。また、この制御基板５は、図示を略したが、このメイン基板５１の後端側で接続され、外装ケース２の筐体背面部１１Ｄ、１２Ｄに起立するインターフェース基板を備えている。
インターフェース基板の背面側には、前述したコネクタ群１５が実装されていて、コネクタ群１５から入力する画像情報は、このインターフェース基板を介してメイン基板５１に出力される。
メイン基板５１上の演算処理装置は、入力した画像情報を演算処理した後、液晶パネル駆動用ＩＣに制御指令を出力する。駆動用ＩＣは、この制御指令に基づいて駆動信号を生成出力して液晶パネル４４１を駆動させ、これにより、画像情報に応じて光変調を行って光学像が形成される。
【００４９】
(2-3)電源ブロック６の構造
電源ブロック６は、光学ユニット４に隣接して、プロジェクタ１の外装ケース２の投写方向に沿って延出して設けられ、図示を略したが、電源ユニット及びランプ駆動ユニットを備えている。
電源ユニットは、前述したインレットコネクタ１７に接続された電源ケーブルを通して外部から供給された電力をランプ駆動ユニットや制御基板５等に供給するものである。
ランプ駆動ユニットは、前述した光源装置４１１に安定した電圧で電力を供給するための変換回路であり、電源ユニットから入力した商用交流電流は、このランプ駆動ユニットによって整流、変換されて、直流電流や交流矩形波電流となって光源装置４１１に供給される。
このような電源ブロック６の前方には、図３に示すように、排気ファン６１が設けられており、プロジェクタ１内部の各構成部材を冷却した空気は、この排気ファン６１によって集められ、外装ケース２の開口部２８から装置外部に排出される。
【００５０】
(2-4)冷却構造
このようなプロジェクタ１内部は、光源装置４１１や電源ブロック６の発熱により加熱されるため、内部に冷却空気を循環させて、光源装置４１１、光学装置４４、電源ブロック６を効率的に冷却させる必要がある。このため、本例では、図９に示されるように３つの冷却流路Ｃ１、Ｃ２、Ｃ３が設定されている。
冷却流路Ｃ１は、インテグレータ照明光学系４１を構成する光源装置４１１及び偏光変換素子４１５を冷却する流路であり、図２における吸気用開口部２４の装置内部に設けられるシロッコファン７１で吸引した冷却空気を、ダクト７２によってライトガイド４０の光源収納部４０１Ａの側方から光源装置４１１、偏光変換素子４１５に供給し、これらを冷却する。冷却後の空気は、排気ファン６１によって吸引され、プロジェクタ１の外部に排出される。
【００５１】
冷却流路Ｃ２は、光変調及び色合成を行う光学装置４４を冷却する流路であり、図２におけるフィルタ２３が設けられた位置に形成される吸気用開口部の装置内側に設けられるシロッコファン（後述）で吸引した冷却空気を、光学装置４４の下方から上方に向かって供給して、前記の液晶パネル４４１Ｒ、４４１Ｇ、４４１Ｂや、入射側偏光板４４２、視野角補正板４４３、射出側偏光板４４４を冷却する。冷却後の空気は、メイン基板５１の下面及びアッパーケース１１の筐体上面部１１Ａに沿って流れ、メイン基板５１に実装された回路素子を冷却しながら、排気ファン６１によって外部に排出される。
【００５２】
冷却流路Ｃ３は、電源ブロック６を冷却する流路であり、電源ブロック６の後端側に設けられる吸気ファン６２により、アッパーケース１１の筐体側面部１１Ｂに形成された開口部１１２、ロアーケース１２の筐体側面部１２Ｂに形成された開口部１２２から冷却空気を取り込み、取り込まれた冷却空気の一部は、電源ユニット及びランプ駆動ユニットに供給され、これらを冷却した後、排気ファン６１によって外部に排出される。
【００５３】
（３）外装ケース２の詳細構造
(3-1)フレーム体３１の構造
このような構造のプロジェクタ１の外装ケース２をより詳細に説明する。
前述した面状体１０を構成するアッパーケース１１、ロアーケース１２の筐体の内部には、図１０及び図１１に示すように、フレーム体３１が設けられている。
フレーム体３１は、複数の骨組部材３２〜３５を組み合わせて構成され、各骨組部材３２〜３５が相互に組み合わされ、さらに、アッパーケース１１、ロアーケース１２の内面に取り付けられることにより、外装ケース２は、全体としての強度を確保している。
【００５４】
骨組部材３２は、アッパーケース１１の筐体側面部１１Ｃ及びロアーケース１２の筐体側面部１２Ｃの内側に起立するアルミニウム製の打抜板状体として構成される。尚、このように骨組部材３２をアルミニウム製の打ち抜き板状体としているのは、強度を確保しつつ、軽量化を図るためであり、他の骨組部材３３〜３５も同様である。
また、骨組部材３２の上端には、水平方向に折り曲げられた折曲片３２３が形成されており、この折曲片３２３上には、メイン基板５１が載置されねじ止め固定される。
【００５５】
骨組部材３３は、一端が骨組部材３２の略中央上端で該骨組部材３２と直交するように接続され、他端が骨組部材３４と接続されるアルミニウム製の棒状部材として構成され、メイン基板５１の上方に架設される。
この骨組部材３３は、外装ケース２の背面部分に挿入される拡張基板ＥＢの挿入枠の部材としての機能も具備するものである。拡張基板ＥＢの挿入の際、拡張基板ＥＢは、図示を略したが、骨組部材３２の内側面延出方向に形成された溝に沿って案内され、骨組部材３３の略中央下端部に設けられた折曲片３３１に形成される孔にねじ止め固定される。尚、拡張基板ＥＢとしては、プロジェクタ１の機能を拡張できる種々のものが採用され、例えば、ネットワーク接続用のＬＡＮボード等が考えられる。ＬＡＮボードを接続することにより、ネットワーク上に接続されたコンピュータで生成した画像情報等をプロジェクタ１によって表示することが可能となる。
そして、挿入され固定された拡張基板ＥＢにより、骨組部材３２及び骨組部材３３の接続部分が補強されて、より強固なフレーム体３１を構成する。
【００５６】
骨組部材３４は、図１２に示すように、アッパーケース１１の筐体側面部１１Ｂ及びロアーケース１２の筐体側面部１２Ｂに沿って伸びる側面部３４１、この側面部３４１の上端から水平に伸びる上面部３４２、及び側面部３４１と対向配置される不図示の側面部を備えたアルミニウム板を打ち抜き加工した筒状体から構成されている。
また、この骨組部材３４を構成する筒状体の装置前方側端部には、枠状部材３４３が設けられており、この枠状部材３４３には、前述した排気ファン６１が固定されている。
【００５７】
骨組部材３５は、図１３に示されるように、下端がロアーケース１２の筐体底面部１２Ａに固定され、外側側面が前述した骨組部材３２に接合された櫓状の部材から構成されている。この骨組部材３５には、図示を略したが、櫓の内側に補助電源基板が設けられているとともに、その上面部３５１には、前述した音声出力用の孔１４１の下方に配置されるスピーカ１４２が取り付けられている。
また、骨組部材３５の前面部３５２の中間位置には、骨組部材３５から投写方向に突出する腕部３５３が設けられており、この腕部３５３は、フロントケース１３の開口部２９近傍まで延出しており、その先端には、リモートコントローラからの信号受信用の受光部３０が取り付けられている。受光部３０は、受光素子３０１及びこの受光素子３０１を実装した基板３０２とから構成され、腕部先端に受光部３０を取り付けると、受光素子３０１が開口部２９から露出する。
【００５８】
(3-2)ロアーケース１２の構造
図１４には、前述したロアーケース１２の筐体底面部１２Ａにおいて、矩形状のフィルタ２３を取り外した状態が示されている。フィルタ２３により隠蔽されていた筐体底面部１２Ａには、冷却空気導入用の吸気用開口部２５が形成されている。
フィルタ２３は、プリーツ状に折り畳まれたフィルタ本体を収納する枠状部材２３１を備え、フィルタ２３の挿入方向に沿った枠状部材２３１の一対の側面には、それぞれ溝２３２が形成されているとともに、図示を略したが、フィルタ２３の挿入方向奥側端面には凸部が形成されている。
このようなフィルタ２３は、リブ状部２０及びリブ状部２１で囲まれた部分に係合固定される。リブ状部２０の側面には、フィルタ２３の奥側端面の凹部と係合する係合片２０１が２箇所形成されているとともに、リブ状部２１の側面には、フィルタ２３の溝２３３に挿入され、フィルタ２３を挿入方向に案内するとともに、フィルタ２３を保持する係合片２１１が３箇所形成されている。
【００５９】
筐体底面部１２Ａの内面側には、図１５に示すように、吸気用開口部２４、２５の形成位置に応じてシロッコファン７１が取り付けられている。シロッコファン７１は、モータ及び回転羽根からなる本体と、これらを収納するケース部材７１１とを備えて構成され、回転羽根の吸気面が吸気用開口部２４、２５に対向するように配置されるとともに、ケース部材７１１の端部７１２で筐体底面部１２Ａから立設するボス１２３にねじ止め固定されている。
また、筐体底面部１２Ａの内面側には、板金１２４が設けられており、この板金１２４により、前述したヘッド体４０３、骨組部材３２〜３５と電気的に接続され、これらを電磁シールド部材として機能させる。さらに、筐体底面部１２Ａの後端側に設けられる板金１２４は、光源装置４１１の下方に位置し、光源装置４１１の発光に伴うノイズを遮蔽する。
【００６０】
（４）実施形態の効果
前述のような本実施形態によれば、次のような効果がある。
(4-1)筐体となる外装ケース２を面状体１０及びフレーム体３１を含んで構成し、フレーム体３１を面状体１０に取り付ける構成としたことにより、プロジェクタ１に作用する外力をフレーム体３１で負担させることができるため、面状体１０を合成樹脂で形成しても、十分な強度を確保することができる。したがって、射出成形等により面状体１０を成形することにより、意匠性の高い外装ケース２とすることができる。
【００６１】
(4-2)フレーム体３１で荷重を負担するように構成することで、面状体１０の肉厚を厚くする必要がなく、外装ケース２自身の重量増を抑えることができるため、プロジェクタ１の重量が必要以上に増加することもない。
(4-3)フレーム体３１を金属製の骨組部材３２〜３５を組み合わせ、面状体１０に取り付けるように構成することにより、外装ケース２内部に収納される装置本体となる光学ユニット４、制御基板５がフレーム体３１によって囲まれるようになるため、電磁シールドとしての機能も負担させることができ、プロジェクタ１の構成部品点数の低減を図ることができる。
【００６２】
(4-4)電源ユニット及びランプ駆動ユニットは電磁障害の発生源となるため、電磁シールドを施す必要があるが、金属製のフレーム体３１に覆われることで、フレーム体３１が電磁シールドとしても機能するため、プロジェクタ１を構成する他のＭＰＵ等の素子の誤作動を確実に防止することができる。
(4-5)筐体底面部１２Ａに凸条部となるリブ状部２０、２１が形成されることにより、光学ユニット４を含む装置本体の支持面をより強固なものとすることができるため、装置本体の荷重を支持する上で好適である。また、射出成形によりリブ状部２０、２１をロアーケース１２と一体形成することにより、筐体底面部１２Ａの成形時にリブ状部２０、２１も同時に形成できるため、外装ケース２の製造に際しても手間が掛からない。
【００６３】
(4-6)フィルタ２３をリブ状部２０、２１に係合して取り付けることにより、別途フィルタ取付用の部位を外装ケース２に設ける必要がなくなるため、外装ケースの構造の複雑化を招くことなく、フィルタ２３の取付を行うことができる。
また、フィルタ２３を互いに平行配置される一対のリブ状部２１間に跨って取り付けることにより、一対のリブ状部２１の延出方向に沿ってフィルタ２３を挿抜することができるため、プロジェクタ１の設置後、フィルタ２３を引き抜いて掃除を行うことができ、プロジェクタ１のメンテナンス性が向上する。
(4-7)フィルタ２３のフィルタ本体をプリーツ状に折り畳んで形成することにより、フィルタ形状に対して、塵埃を吸着するフィルタ面積を大きくすることができるため、装置内部に塵埃の入りにくいプロジェクタ１とすることができる。
また、フィルタ２３を、フィルタ本体と枠状部材２３２を別体とすることにより、汚れの状況に応じてフィルタ本体のみを交換することができるため、メンテナンス性が一層向上する。
【００６４】
(4-8)筐体底面部１２Ａに吸気ファンとしてのシロッコファン７１のケース部材７１１が固定されることにより、このケース部材７１１で筐体底面部１２Ａを補強することができるため、プロジェクタ１の装置本体の支持面の強度を一層向上させることができる。特に、本例では、リブ状部２０、２１の間にシロッコファン７１が配置される構成としているため、リブ状部２０、２１と相まってケース部材７１１による筐体底面部１２Ａの補強効果は大きい。
(4-9)拡張基板ＥＢが骨組部材３２、３３に係合固定されることにより、フレーム体３１の剛性が拡張基板ＥＢによって向上するので、フレーム体３１の構造強度を一層向上させることができる。
【００６５】
(4-10)骨組部材３５の前面から突出する腕部３５３に信号受信部となる受光部３０が取り付けられることにより、受光部３０をフレーム体３１の一部で支持することが可能となるため、受光部３０を強固に支持することができる。また、プロジェクタ１の前面側の受光部３０を腕部３５３に取り付けることにより、腕部３５３の延出量を調整して、面状体１０に形成された孔から確実に受光部３０を露出させることができる。したがって、投写レンズ３として鏡筒の長いものを採用した場合でも、受光部３０を面状体１０に形成された孔２９から露出させ、リモートコントローラからの信号を確実に受信することができる。また、受光部３０の面積も広くする必要がないため、デザインへの制約がなくなる。
【００６６】
(4-11)スピーカ１４２がフレーム体３１を構成する骨組部材３５に取り付けられることにより、面状体１０にスピーカを取り付ける必要がないため、面状体１０を取り外す場合にスピーカ１４２に接続されるケーブル等が邪魔になることがなく、簡単に面状体１０を装置本体から取り外すことができる。
(4-12)アッパーケース１１の投写方向に沿った稜線に面取加工による凹部１１１が形成されることにより、面状体１０の補強を行うことができ、外装ケース２の強度を一層向上できる。また、このように面取りすることにより、より高輝度な画面を形成すべく２台のプロジェクタ１をスタックさせる場合に、２台のプロジェクタ１を固定するパイプ等の支持部材を凹部１１１に挿入することができるため、支持部材がプロジェクタ１に干渉することなく、適切な位置に位置合わせしてスタックさせることができる。
【００６７】
（５）実施形態の変形
尚、本発明は、前述の実施形態に限定されるものではなく、以下に示すような変形をも含むものである。
前記実施形態では、プロジェクタ１は、大型店舗内やパブリックスペース等に設置されるものとして説明していたが、高輝度大画面投影に限らず、本発明を採用しても良い。
【００６８】
前記実施形態では、光変調装置として透過型の液晶パネル４４１Ｒ、４４１Ｇ、４４１Ｂを採用していたが、本発明はこれに限られず、反射型液晶パネルや、マイクロミラーを用いた光変調装置を備えたプロジェクタに本発明を採用してもよい。
前記実施形態では、三板式のプロジェクタ１に本発明を採用していたが、これに限られず、単板式、多板式を問わずプロジェクタに本発明を採用してもよい。その他、本発明の実施の際の具体的な構造及び形状等は、本発明の目的を達成する上で他の構造等としてもよい。
【図面の簡単な説明】
【図１】本発明の実施形態に係るプロジェクタの外観構成を表す概要斜視図。
【図２】前記実施形態におけるプロジェクタの外観構成を表す概要斜視図。
【図３】前記実施形態におけるプロジェクタの内部構成を表す概要斜視図。
【図４】前記実施形態におけるプロジェクタの内部構成を表す概要斜視図。
【図５】前記実施形態におけるプロジェクタの内部構成を表す概要斜視図。
【図６】前記実施形態における光学ユニットを収納するライトガイドの構造を表す概要斜視図。
【図７】前記実施形態における光学ユニット構造を表す模式図。
【図８】前記実施形態における光学装置の構造を表す概要斜視図。
【図９】前記実施形態における冷却流路を表す概要斜視図。
【図１０】前記実施形態におけるフレーム体を構成する骨組部材詳細構造を表す斜視図。
【図１１】前記実施形態におけるフレーム体を構成する骨組部材詳細構造を表す斜視図。
【図１２】前記実施形態におけるフレーム体を構成する骨組部材詳細構造を表す斜視図。
【図１３】前記実施形態におけるフレーム体を構成する骨組部材詳細構造を表す斜視図。
【図１４】前記実施形態におけるプロジェクタの筐体底面部を表す斜視図。
【図１５】前記実施形態におけるプロジェクタの筐体底面部を表す斜視図。
【符号の説明】
１…プロジェクタ、２…外装ケース（筐体）、１０…面状体、１２Ａ…筐体底面部、２０、２１、２２…リブ状部（凸条部）、２３…フィルタ、２５…吸気用開口部、３０…受光部（信号受信部）、３１…フレーム体、３２、３３、３４、３５…骨組部材、７１…シロッコファン（吸気ファン）、１１１…凹部（面取加工）、１４２…スピーカ、２０１、２１１…係合片、２３２…溝（係合部）、３５３…腕部、４１１…光源装置（光源）、４４１Ｒ、４４１Ｇ、４４１Ｂ…液晶パネル（光変調装置）、７１１…ケース部材、ＥＢ…拡張基板
【図１】
2004205667.tif 000003
【図２】
2004205667.tif 000004
【図３】
2004205667.tif 000005
【図４】
2004205667.tif 000006
【図５】
2004205667.tif 000007
【図６】
2004205667.tif 000008
【図７】
2004205667.tif 000009
【図８】
2004205667.tif 000010
【図９】
2004205667.tif 000011
【図１０】
2004205667.tif 000012
【図１１】
2004205667.tif 000013
【図１２】
2004205667.tif 000014
【図１３】
2004205667.tif 000015
【図１４】
2004205667.tif 000016
【図１５】
2004205667.tif 000017